(57)【特許請求の範囲】
【請求項１】
取付ベースに固定されたモータと、このモータの回転により揺振機構を介して横方向に往復移動される揺振体、及び昇降機構を介して上下方向に昇降される昇降体を備えた遊技機の可動装飾装置であって、前記揺振機構を、一側にカム部を備えモータによって回転されるクランクギアと、前記カム部によって押圧されて先端が揺振体の一部を押圧する揺振レバーと、揺振レバーをカム部による押圧方向と逆方向に付勢する弾性体とからなるものとし、また、前記昇降体を、縦型レール上を上下方向にスライドするものとしたうえに、昇降機構を、先端が昇降体に装着される昇降用レバーと、昇降用レバーの基部から延設された分岐アームと、クランクギアの一側に設けられ分岐アームと係合して昇降用レバーを回動させる突起部とからなるものとしたことを特徴とする遊技機の可動装飾装置。
【請求項２】
昇降体を縦型レールの左右に拡幅された板状のものとして、その板面の左右の一方に昇降用レバーを配設するとともに、対応する他方の板面には、前記昇降用レバーと対象に補助レバーを設けたうえに、昇降用レバーと昇降用補助レバーの基端に部分ギアを設けて、これらのギアを噛合させたことを特徴とする請求項１に記載の遊技機の可動装飾装置。
【請求項３】
昇降用レバーと補助レバーの間に、昇降体落下時の衝撃緩和用の弾性体を張架した請求項２に記載の遊技機の可動装飾装置。
【請求項４】
突起部を、昇降用レバーと分岐アームとの間で往復回動させて、昇降体を昇降するようにした請求項１〜３のいずれかに記載の遊技機の可動装飾装置。
【発明の詳細な説明】
【技術分野】
【０００１】
本発明は、遊技機の役物に用いられる可動装飾装置に関するものである。
【背景技術】
【０００２】
従来の遊技機において、遊技領域の中央部に設けられた図柄表示装置の回りで演出を行うものとして、例えば特許文献１に開示されたものが知られている。このものは、図柄表示装置の上部に設けられた移動部材が、図柄表示装置の表示状態に合わせて、表示画面の一部を覆う動作を行うことにより演出効果は高まるものの、演出動作自体は移動部材が上下に昇降するだけであるので、遊技の興趣に欠けるものであった。また、移動部材を降下させる手段としてギアとラックを用いているので、装飾の態様を急激に変化させることができないという欠点も合った。
【先行技術文献】
【特許文献】
【０００３】
【特許文献１】特開２００４−１５９８４５号公報
【発明の概要】
【発明が解決しようとする課題】
【０００４】
本発明は、上記した従来の問題点に鑑み、変化の態様に富んだ遊技機の可動装飾装置を提供することを課題とする。特に、自由落下を用いた急激な落下と、モータの駆動に合わせた制御落下との二通りの落下動作を行わせることができて、演出の幅を大きく広げることができる遊技機の可動装飾装置を提供することを課題とする。
【課題を解決するための手段】
【０００５】
上記の課題を解決するためになされた本発明の遊技機の可動装飾装置は、取付ベースに固定されたモータと、このモータの回転により揺振機構を介して横方向に往復移動される揺振体、及び昇降機構を介して上下方向に昇降される昇降体を備えた遊技機の可動装飾装置であって、前記揺振機構を、一側にカム部を備えモータによって回転されるクランクギアと、前記カム部によって押圧されて先端が揺振体の一部を押圧する揺振レバーと、揺振レバーをカム部による押圧方向と逆方向に付勢する弾性体とからなるものとし、また、前記昇降体を、縦型レール上を上下方向にスライドするものとしたうえに、昇降機構を、先端が昇降体に装着される昇降用レバーと、昇降用レバーの基部から延設された分岐アームと、クランクギアの一側に設けられ分岐アームと係合して昇降用レバーを回動させる突起部とからなるものとしたことを特徴とするものである。
【０００６】
上記した発明において、昇降体を縦型レールの左右に拡幅された板状のものとして、その板面の左右の一方に昇降用レバーを配設するとともに、対応する他方の板面には、前記昇降用レバーと対称に補助レバーを設けたうえに、昇降用レバーと昇降用補助レバーの基端に部分ギアを設けて、これらのギアを噛合させることができる。
【０００７】
また、昇降用レバーと補助レバーの間に、昇降体落下時の衝撃緩和用の弾性体を張架することもでき、さらに、突起部を、昇降用レバーと分岐アームとの間で往復回動させて、昇降体の降下速度を規制して昇降体を昇降させることもできる。
【発明の効果】
【０００８】
請求項１に係る発明では、揺振機構を、一側にカム部を備えモータによって回転されるクランクギアと、前記カム部によって押圧されて先端が揺振体の一部を押圧する揺振レバーと、揺振レバーをカム部による押圧方向と逆方向に付勢する弾性体とからなるものとし、また、昇降体を、縦型レール上を上下方向にスライドするものとしたうえに、昇降機構を、先端が昇降体に装着される昇降用レバーと、昇降用レバーの基部から延設された分岐アームと、クランクギアの一側に設けられ分岐アームと係合して昇降用レバーを回動させる突起部とからなるものとしたので、揺振体と昇降体を一つのモータのみで駆動させて遊技機の装飾態様に変化を付けることができる。
また、カム部による揺振レバーの押圧を介して揺振体を一方に移動させることができ、弾性体の引き付けにより揺振体を元の位置に戻すことができる。更に、突起部を回転させて分岐アームに係合させることによって昇降体を上昇させることができ、係合を外すことによって昇降体を急激に落下させることができる。
【０００９】
請求項２に係る発明では、昇降体を縦型レールの左右に拡幅された板状のものとして、その板面の左右の一方に昇降用レバーを配設するとともに、対応する他方の板面には、前記昇降用レバーと対象に補助レバーを設けたうえに、昇降用レバーと昇降用補助レバーの基端に部分ギアを設けて、これらのギアを噛合させたので、昇降用レバーと補助レバーとにより容易に昇降体を昇降させることができる。
【００１０】
請求項３に係る発明では、昇降用レバーと補助レバーの間に、昇降体落下時の衝撃緩和用の弾性体を張架したので、昇降体落下時の衝撃を小さいものとすることができる。
【００１１】
請求項４に係る発明では、突起部を、昇降用レバーと分岐アームとの間で往復回動させて、昇降体を昇降するようにしたので、昇降体の降下速度を規制して降下させることができる。
【発明を実施するための形態】
【００１２】
以下に本発明を実施形態に基づき説明する。
図１は、本発明の可動装飾装置の全体構造を示す背面側斜視図である。図において、２は揺振体、３は昇降体である。
図２、図３は揺振機構の要部を示す図であって、揺振体２は、その背面にブラケット２８が固定され、このブラケット２８が取付ベース（図示していない）の支持部１５間に横設されたガイドバー１６に摺動可能に装着されている。ブラケット２８には、水平方向に突出する水平バー２９を有している。
【００１３】
図示のものでは、揺振機構は、モータ１３と、一側にカム部５１を備えモータ１３によって回転されるクランクギア５と、カム部５１によって押圧される凸部６１を中程に有する揺振レバー６と、水平バー２９をカム部５１による押圧方向と逆方向に付勢する弾性体３０と、からなるものである。揺振レバー６は、軸６２を中心に上向きに設けられている。弾性体３０の一方は水平バー２９の先端に掛着され、他方は取付ベース（図示していない）に掛着されている。
【００１４】
揺振体２の揺振動を図４、図５により説明する。
すなわち、モータ１３のモータギア１７によりクランクギア５が反時計回りに回転されると凸部６１がカム部５１によって押圧される（図１５）。これによって揺振レバー６の先端がブラケット２８の水平バー２９を押圧するので、揺振体２は図２において右方向に移動されることになる。カム部５１による凸部６１の押圧が解除されると、弾性体３０が水平バー６を左方向へ引き付けるので、揺振体２は元の位置に戻ることができる。
以上のようにモータ１３を一方向に回転させることによってカム部５１が凸部６１を押圧するたびに揺振体２を左右に繰り返し揺振させることができる。
【００１５】
なお、カム部５１に突起５１ａを設け（図６を参照）、図７に示すようなセンサー部１９ａを有するセンサー１９を図８のようにして配設することによって、カム部５１の位置を検出している。これを基準とすることにより、モータ１３の駆動を制御している。制御の一例として、モータ１３を正逆回転させて、カム部５１が凸部６１を押圧していない状態（図４を参照）と、カム部５１が凸部６１を押圧している状態（図５を参照）との間を往復させることによって、前述した一方向に回転させる場合よりも短い周期で揺振体２を左右に揺振させることができる。
【００１６】
次に、昇降体の昇降機構を説明する。
図１において、昇降体３は、左右に拡幅された板状のものであって、中程に摺動部３６を有し、この摺動部３６は縦型レール１８の間を上下方向にスライドする。
昇降機構は、図１において昇降体３の背面の左側部分に配設された昇降用レバー７と、昇降用レバー７の基部から延設された分岐アーム７１と、クランクギア５の正面側側面に設けられた突起部５５とを備える（図１０を参照）。昇降用レバー７は、先端の凸部７４が昇降体３の支持部３８に装着され軸７２を中心に回動する（図１を参照）。その基端側端部には部分ギア７３が形成されている。突起部５５は分岐アーム７１と係合することによって昇降用レバー７を上下方向に回動させる（図１０を参照）。
【００１７】
図１において、昇降体３の背面の右側部分には、前記昇降用レバー７と対象に昇降用の補助レバー８が配設されている。補助レバー８は先端の凸部８３が昇降体３の支持部３８に装着され軸８１を中心に回動する。補助レバー８の基端には部分ギア８２が設けられ、部分ギア７３と部分ギア８２とは噛合されているので、昇降用レバー７の回動により補助レバー８も回動される。昇降用レバー７と補助レバー８の間には、昇降体３が落下したときの衝撃を緩和するための弾性体８５が張架されている（図１１を参照）。この場合、一方向に回転させる場合と異なり、昇降体３を昇降させなくても揺振体２を複数回揺振させることができる。
【００１８】
以下に、昇降体３の昇降動を図１１〜１４により説明する。
図１１の状態においては、突起部５５はクランクギア５により回動されて分岐アーム７１を持ち上げているので、昇降体３も最大持ち上げられている。部分ギア７３と部分ギア８２は噛合して回動されているので、昇降用レバー７と補助レバー８とにより昇降体３は水平状態を維持したまま上昇されている。
【００１９】
さらに、突起部５５の回動が進むと突起部５５と分岐アーム７１との係合が外れるので、昇降体３は図１３のように急激に落下することとなる。このとき凸部７４，８３はそれぞれ支持部３８内を内方に移動する。その後、昇降用レバー７と補助レバー８とにそれぞれ設けられた規制部７６、８６が取付ベースに設けられたストッパー（図示していない）に当接することで、昇降体３の落下は規制される。なお、昇降用レバー７と補助レバー８との間に弾性体８５を張架させることで、昇降体３の自重の一部とバランスさせて落下速度を抑制し、規制部７６、８６が前記ストッパーに当接したときの衝撃を緩和することができる。
【００２０】
さらに、突起部５５の回転が進むと、図１４に示すように、突起部５５は再び分岐アーム７１と係合し、これを持ち上げることとなるので、昇降体３も再び上昇することとなる。凸部７４，８３はそれぞれ支持部３８内を外方に移動する。
以上のようにして、揺振体２の揺動と昇降体３の昇降とを繰り返し行なうことができる。
【００２１】
また、図１３の状態になる前、つまり突起部５５と分岐アーム７１との係合が外れる前に、突起部５５を逆回転（図１３からみて反時計回り）に回動させることにより、突起部５５の回転に合わせた昇降体３の降下を行うことが可能となる。その後、規制部７６、８６が取付ベースに設けられたストッパー（図示していない）に当接することで、昇降体３の降下が規制されたときに、再び逆回転（図１３からみて時計回り）させることで昇降体３も上昇することになる。この場合、昇降体３が最も降下している状態（図１３を参照）と、カム部５１が凸部６１を押圧せずに昇降体３が最も上昇している状態との間の内、任意の位置でモータ１３を正逆回転させることによって、揺振体２を揺振させないまま、昇降体３を短い周期で複数回昇降させることもできる。
以上のように、自由落下を用いた急激な降下と、モータ１３の駆動に合わせて制御可能な制御降下との二通りの降下動作を行わせることができ、演出の幅をいっそう広げることが可能となる。
【図面の簡単な説明】
【００２２】
【図１】本発明の実施形態を示す背面側の斜視図である。
【図２】揺振機構要部の背面図である。
【図３】揺振機構要部の平面図である。
【図４】クランクギア近傍の揺振機構の背面図である。
【図５】揺振体が押圧された状態のクランクギア近傍の揺振機構の背面図である。
【図６】クランクギアの斜視図である。
【図７】位置検出センサーの斜視図である。
【図８】位置検出センサーがセットされたクランクギア近傍の背面図である。
【図９】昇降機構の正面側斜視図である。
【図１０】昇降体を取り除いて示す昇降機構の正面側斜視図である。
【図１１】正面側から透視して示す昇降機構の正面図である。
【図１２】昇降機構の平面図である。
【図１３】昇降体が落下した状態である昇降機構の正面図である。
【図１４】昇降体が上昇途中である昇降機構の正面図である。
【符号の説明】
【００２３】
２  揺振体
３  昇降体
５  クランクギア
６  揺振レバー
７  昇降用レバー
１３  モータ
１８  縦型レール
３０  弾性体
５１  カム部
５５  突起部
【図１】
0005288146.tif 000002
【図２】
0005288146.tif 000003
【図３】
0005288146.tif 000004
【図４】
0005288146.tif 000005
【図５】
0005288146.tif 000006
【図６】
0005288146.tif 000007
【図７】
0005288146.tif 000008
【図８】
0005288146.tif 000009
【図９】
0005288146.tif 000010
【図１０】
0005288146.tif 000011
【図１１】
0005288146.tif 000012
【図１２】
0005288146.tif 000013
【図１３】
0005288146.tif 000014
【図１４】
0005288146.tif 000015